(57)【特許請求の範囲】
【請求項１】
絞り制御可能なレンズ部と、
該レンズ部からの入射光を撮像し映像信号を出力する電子増倍型撮像素子と、
前記映像信号を所定の増幅率で増幅する増幅率制御部と、
前記増幅された映像信号に所定の処理を施す映像信号処理部と、
映像信号の所望のレベル、前記レンズ部の絞りの上限値、増幅率制御部の増幅率の範囲および電子増倍型撮像素子の電子増倍率の範囲を設定する設定部と、を備え、
前記映像信号処理部から出力される前記レンズ部、前記増幅率制御部および前記電子増倍型撮像素子を制御し、
前記レンズ部の絞りの設定上限値を超えた場合、絞りの値を設定上限値に固定して、前記増幅率制御部の増幅率および前記電子増倍型撮像素子の電子増倍率を設定した範囲で交互に制御することを特徴とする電子増倍型撮像装置。
【請求項２】
絞り制御可能なレンズ部と、該レンズ部からの入射光を撮像して映像信号を出力する電子増倍型撮像素子と、前記映像信号を所定の増幅率で増幅する増幅率制御部とを備える電子増倍型撮像装置において、
映像信号の所望のレベル、前記レンズ部の絞りの上限値、増幅率制御部の増幅率の範囲および電子増倍型撮像素子の電子増倍率の範囲を設定し、
前記映像信号が前記設定された映像信号のレベルになる様に前記レンズ部の絞り、前記増幅率制御部の増幅率および前記電子増倍型撮像素子の電子増倍率を制御し、
前記レンズ部の絞りの設定上限値を超えた場合、絞りの値を設定上限値に固定して、前記増幅率制御部の増幅率および前記電子増倍型撮像素子の電子増倍率を設定した範囲で交互に制御することを特徴とする電子増倍型撮像装置の感度調整方法。
【発明の詳細な説明】
【技術分野】
【０００１】
本発明は、テレビジョンカメラに関し、特に絞り制御可能なレンズと電子増倍型固体撮像素子を組み合わせたときの自動感度調整に関するものである。
【背景技術】
【０００２】
従来、絞り制御可能なレンズと感度調整可能な撮像管を組み合わせたテレビジョンカメラにおいて、高画質を保つため、まずＮＤフィルタの透過率を変え、次に映像信号処理系の利得で自動感度調整を行い、追従しきれなくなった場合はレンズの絞りを開いた状態に切替えて、自動感度調整を行う例が特許文献１に開示されている。
【特許文献１】特開２００４−２８９３４８号公報
【発明の開示】
【発明が解決しようとする課題】
【０００３】
従来の技術において、レンズの絞りを開いた状態（全開）での自動感度調整は、レンズの特性により被写体のピントがぼける場合があるため、必ずしも高画質を保てない。
本発明の目的は、最適な画質優先の自動感度調整を行うことにある。
【課題を解決するための手段】
【０００４】
上記の目的を達成するため本発明のテレビジョンカメラの感度調整方法は、絞り制御可能なレンズ部とレンズ部からの入射光を電子増倍型撮像素子で撮像し、映像信号を出力するテレビジョンカメラにおいて、レンズ部の絞りの所定範囲は開閉制御し、レンズ部の絞りの所定範囲外はレンズ部の絞りを所定の開閉範囲内に維持すると共に電子増倍型撮像素子の電子増倍率を制御する。
【０００５】
また、本発明のテレビジョンカメラの感度調整装置は、絞り制御可能なレンズ部とレンズ部からの入射光を電子増倍型撮像素子で撮像し、映像信号を出力するテレビジョンカメラにおいて、レンズ部の絞りの開閉制御手段と、電子増倍型撮像素子の電子増倍率制御手段と、開閉制御手段と電子増倍率制御手段を適応的に制御する制御手段とを具備した。
【発明の効果】
【０００６】
本発明によれば、絞り制御可能なレンズと電子増倍型固体撮像素子を組み合わせたときの自動感度調整において、最適な画質優先の自動感度調整を行うことができる。
【発明を実施するための最良の形態】
【０００７】
以下、本発明によるテレビジョンカメラの一実施例について図１と図２を用いて説明する。
図１は本発明の一実施例の構成を示すブロック図である。なお、図１は本発明テレビジョンカメラの説明に必要な部分のみを記載している。
【０００８】
図１において、１は絞り制御可能なレンズ部、２はレンズ部１の絞り機構を制御する絞り制御部、３はレンズ部１からの入射光を光電変換して映像信号を出力する撮像部である。４はレンズ部１から入射した光を電気信号に変換するＥＭ−ＣＣＤ（Electron Multiplying - Charge Coupled Device、電子増倍型固体撮像素子）、５はＥＭ−ＣＣＤ４から出力された信号の利得を適応的に調整するＡＧＣ（Automatic Gain Control）、６はＡＧＣ５から出力された信号に種々の画像処理を施す映像処理部、７はＮＴＳＣ（National Television System Committee）方式やＰＡＬ（Phase Alternating by Line）方式等に映像信号を変換するＥＮＣ（Encoder）、８はＥＮＣ７から出力された信号と文字信号発生部１４（後述）から出力された信号を合成する合成部、３０は合成部８から出力された信号を表示するモニタ、９はＥＭ−ＣＣＤ４の駆動および電子増倍の利得制御を行うための駆動部、１３は入力された信号に応じて予め定められたプログラムに従って映像処理部６と文字信号発生部１４（後述）等の撮像部３内の各部を制御するＣＰＵ（Central Processing Unit）、１４はＣＰＵ１３から出力された信号に従ってモニタ３０に文字表示させるための文字信号を発生する文字信号発生部である。１２は映像処理部６から入力された信号ａをＣＰＵ１３から入力された信号に従ってレンズ部１の絞りを制御する信号bおよび信号cの生成と、レンズ開口率の信号fを出力するレンズ絞り制御部である。１１はレンズ絞り制御部１２から入力された信号ｃを増幅するアンプ部、１０はレンズ部１の増幅部の有無（以下、増幅部を内蔵しているレンズ部１をＶＩＤＥＯレンズと称し、増幅部を内蔵していないレンズ部１をＤＣレンズと称する）により絞り制御信号を切替える切替部、１５はオペレータが設定するための設定ボタンである。設定ボタン１５の１８は上ボタン、１９は下ボタン、２０は左ボタン、２１は右ボタン、２２は中央ボタンである。１６は撮像部３の外部から自動感度調整の設定を行うためにリモート制御信号を入力するためのリモート端子、１７はリモート端子から入力されたリモート制御信号である。
【０００９】
図２は、本発明のテレビジョンカメラの一実施例の表示画面を示す図である。
図２の表示画面はモニタ３０に表示される。４０はオペレータが自動感度調整（SENSITIVITY CONTROL）の設定時に表示画面上で設定項目を選択するためのカーソルである。４１は設定するレンズ（LENS）を選択する選択バーで、選択するレンズがＶＩＤＥＯレンズの場合は“VIDEO”を選択し、選択するレンズがＤＣレンズの場合は“DC”を選択する。４２は合成部８から出力される映像信号レベル（VIDEO LEVEL）の設定値を表示画面上に設定するための設定バーである。４３はレンズ部１の絞り機構の最大開口率（MAX IRIS）を設定するための設定バーである。なお、本実施例では“VIDEO LEVEL”と“MAX IRIS”の設定を設定バーによる設定方式としたが数値による設定方式でも良い。“AGC1”と“AGC2”と“AGC3”は、図１のＡＧＣ５の利得制御範囲を３分割した場合の設定を行う一実施例である。“CCD GAIN1”と“CCD GAIN2”は、図１のＥＭ−ＣＣＤ４の電子増幅制御範囲を２分割した場合の設定を行う一実施例である。表示の上から“AGC1”、“CCD GAIN1”、“AGC2”、“CCD GAIN2”、“AGC3”の並び順は制御の順番（後述）を示した一実施例である。
【００１０】
次に、本発明の動作の一実施例について図１を用いて説明する。
図１において、図示していない被写体からの光はレンズ部１に入射される。レンズ部１は、入射された光をレンズ絞りで光量調整して撮像部３のＥＭ−ＣＣＤ４に結像する。ＥＭ−ＣＣＤ４は結像された光を光電変換してＡＧＣ５に出力する。ＡＧＣ５は入力された信号に対し適応的な利得調整して映像処理部６に出力する。映像処理部６は入力された信号に輪郭強調やホワイトバランス調整等の種々の画像処理をＣＰＵ１３から出力された信号に従って実行し、ＥＮＣ７とレンズ絞り制御部１２に出力する。ＥＮＣ７は入力された信号をＮＴＳＣ方式やＰＡＬ方式等の映像信号に変換して合成部８に出力する。合成部８は入力された映像信号に文字信号発生部１４から出力された文字信号を合成してモニタ３０に出力する。モニタ３０は入力された信号を画像表示する。レンズ絞り制御部１２は、ＣＰＵ１３から入力された映像信号レベル設定値と映像処理部６から入力された信号ａとを比較し、映像処理部６から入力された信号ａがＣＰＵ１３から入力された映像信号レベル設定範囲値の範囲内になるまで出力レベルを増減させ、信号ｃをアンプ部１１に出力し、信号ｂを切替部１０に出力する。アンプ部１１は入力された信号ｃを増幅して切替部１０に信号ｄを出力する。切替部１０はＣＰＵ１３の指示に従い、レンズ部１がＶＩＤＥＯレンズの場合はレンズ絞り制御部１２から入力された信号ｂを選択し、レンズ部１がＤＣレンズの場合はアンプ部１１から入力された信号ｄを選択してレンズ部１の絞り制御部２に出力する。絞り制御部２は入力された信号ｅに従いレンズ部１のレンズ絞り機構を制御して入射光の光量調整を行う。
【００１１】
なお、切替部１０の切替えは、図示していない切替スイッチの設定をＣＰＵ１３が認識して切替える。または図示していないレンズ識別手段で絞り制御部２のインピーダンスを測定し、この測定結果からＣＰＵ１３がレンズを自動判別して切替える。どちらの切替え手段でも良い。
【００１２】
次に図１と図２を用いて本発明の自動感度調整の一実施例について説明する。この説明では、レンズ部１をＤＣレンズとする。
図１においてオペレータは、例えば５つのボタンで構成された設定ボタン１５の中央ボタン２２を押すことによりモニタ３０に表示されている被写体画像に図２の表示画面を合成表示させることができる。
【００１３】
そしてオペレータは、モニタ３０に合成表示されている図２の表示画面を見ながら設定ボタン１５の上ボタン１８または下ボタン１９を押してカーソル４０を“LENS” の項目に移動させ、次に設定ボタン１５の左ボタン２０または右ボタン２１を押して選択バー４１を“DC”の位置に移動させる。
【００１４】
次にオペレータは、設定ボタン１５の下ボタン１９を押してカーソル４０を“VIDEO LEVEL”の項目に移動させる。次に設定ボタン１５の左ボタン２０または右ボタン２１を押して設定バー４２を所望の位置に移動させる。設定バー４２は左に移動させると被写体画像が暗くなり、右に移動させると被写体画像が明るくなる。この動作は、ＣＰＵ１３がオペレータの押した設定ボタン１５のボタンを認識して文字信号発生部１４から表示画面の設定バー４２の位置を表示させている。また、設定バー４２の位置からＣＰＵ１３は映像信号レベル設定値を生成してレンズ絞り制御部１２に出力する。レンズ絞り制御部１２は、ＣＰＵ１３から入力された映像信号レベル設定値と映像処理部６から入力された信号aとを比較し、映像処理部６から入力された信号aがＣＰＵ１３から入力された映像信号レベル設定値の所定範囲内になるまで信号aのレベルを所定量増減させ、信号cをアンプ部１１に、信号bを切替部１０に出力する。アンプ部１１は入力された信号cを増幅して切替部１０に信号dを出力する。切替部１０は信号dを選択してレンズ部１の絞り制御部２に信号eを出力する。絞り制御部２は入力された信号eに従いレンズ部１のレンズ絞り機構を制御して入射光の光量調整を行う。上述のレンズ絞り制御部１２から出力される信号bおよび信号cのレベルを所定量増減とは、１回の所定量のレベル増減に対してレンズ絞り機構を所定量開閉する。
【００１５】
また次にオペレータは、設定ボタン１５の下ボタン１９を押してカーソル４０を“MAX IRIS”の項目に移動させる。次に設定ボタン１５の左ボタン２０または右ボタン２１を押して設定バー４３を所望の位置に移動させる。設定バー４３は左に移動させるとレンズ絞り機構の最大開口率が閉方向に設定され、右に移動させるとレンズ絞り機構の最大開口率が開方向に設定され、“OPEN”の位置に設定されるとレンズ絞り機構の最大開口率は全開となる。この動作は、ＣＰＵ１３がオペレータの押した設定ボタン１５のボタンを認識して文字信号発生部１４から表示画面の設定バー４３の位置を表示させている。また、設定バー４３の位置からＣＰＵ１３はレンズ絞り制御部１２から出力する信号bと信号eの最大レベルを制限する。信号bと信号eの最大レベルを制限することにより、レンズ絞り機構の最大開口率を設定バー４３の位置にすることができる。レンズ部１のレンズ絞り機構の開口率と設定バー４３の位置との関係は、予め実測による補正値をＣＰＵ１３に記憶しておくことにより、レンズ絞り機構の全閉と設定バー４３の“CLOSE”の位置およびレンズ絞り機構の全開と設定バー４３の“OPEN”の位置を合わせることができる。なお、図２の“VIDEO LEVEL”と“MAX IRIS”の項目は、ＶＩＤＥＯレンズとＤＣレンズ毎に設定することもできる。
【００１６】
更にオペレータは、最適な画質優先の自動感度調整の設定を行う。
図１のＡＧＣ５の利得制御範囲（本実施例では0〜40dBとする）の分割と、図１のＥＭ−ＣＣＤ４の電子増倍制御範囲（本実施例では0〜66dBとする）の分割と、制御の順番は、予め信号対雑音比（Ｓ／Ｎ）等の計算または実測等により決定する。本発明の一実施例では、図２に示すようにＡＧＣ５の利得制御範囲は３分割し、分割後の制御名を“AGC1”、“AGC2”、“AGC3”とする。ＥＭ−ＣＣＤ４の電子増倍制御範囲は２分割し、分割後の制御名を“CCD GAIN1”と“CCD GAIN2”とする。制御の順番は“AGC1”、“CCD GAIN1”、“AGC2”、“CCD GAIN2”、“AGC3”とする。
【００１７】
オペレータは、設定ボタン１５の下ボタン１９を押してカーソル４０を“AGC1”の項目に移動させ、左ボタン２０または右ボタン２１を押して設定値を“MAX 10dB”（0〜10dBの範囲で制御）にする。次にオペレータは、設定ボタン１５の下ボタン１９を押してカーソル４０を“CCD GAIN1”の項目に移動させ、左ボタン２０または右ボタン２１を押して設定値を“MAX 40dB”（0〜40dBの範囲で制御）にする。次にオペレータは、設定ボタン１５の下ボタン１９を押してカーソル４０を“AGC2”の項目に移動させ、左ボタン２０または右ボタン２１を押して設定値を“MAX 20dB”（10〜20dBの範囲で制御）にする。次にオペレータは、設定ボタン１５の下ボタン１９を押してカーソル４０を“CCD GAIN2”の項目に移動させ、左ボタン２０または右ボタン２１を押して設定値を“MAX 66dB”（40〜66dBの範囲で制御）にする。次にオペレータは、設定ボタン１５の下ボタン１９を押してカーソル４０を“AGC3”の項目に移動させ、左ボタン２０または右ボタン２１を押して設定値を“MAX 40dB”（20〜40dBの範囲で制御）にする。
【００１８】
次に図１から図５を用いて本発明の自動感度調整の一実施例の動作について説明する。
本説明では、レンズ部１をＤＣレンズとする。レンズ部１がＶＩＤＥＯレンズの場合は上述の切替えによりレンズ絞り機構の制御が可能となる。
【００１９】
図３は、図２の自動感度調整の設定を行った場合の被写体照度と感度制御の関係を示した図であり、“星明かり”から“真昼の日向”までの被写体照度に対して、感度制御の動作を示した一実施例である。
【００２０】
図４と図５は、図３の感度制御を説明するためのフローチャートである。図４と図５のフローチャートの接続は、接続記号“Ａ”と“Ｂ”で行う。
ＣＰＵ１３は、図４の“開始”から制御を開始し、ステップＳ１でＥＭ−ＣＣＤ４の電子増倍の利得制御する駆動部９に０ｄＢの利得制御値を初期設定し、ＡＧＣ５の利得制御値に０ｄＢを初期設定する。ステップＳ２でレンズ絞り制御部１２は、ＣＰＵ１３から入力された映像信号レベル設定値と映像処理部６から入力された信号ａとを比較し、映像処理部６から入力された信号ａがＣＰＵ１３から入力された映像信号レベル設定値（図２の“VIDEO LEVEL”で例えば550mV）の所定範囲内（例えば±20mV）になるまで出力レベルを増減させ、信号ｃをアンプ部１１に出力し、信号ｂを切替部１０に出力する。アンプ部１１は入力された信号ｃを増幅して切替部１０に信号ｄを出力する。切替部１０はＣＰＵ１３の指示に従い、アンプ部１１から入力された信号ｄを選択してレンズ部１の絞り制御部２に出力する。絞り制御部２は入力された信号ｅに従いレンズ部１のレンズ絞り機構を制御して入射光の光量調整を行う。この制御は、図３の被写体照度が“レンズ絞り制御範囲”の場合である。ステップＳ３でＣＰＵ１３は、レンズ開口率の信号fからレンズ部１のレンズ絞り機構の絞り値が図２の“MAX IRIS”で設定された最大開口率（例えば99.0％）の所定範囲以内（例えば±0.2％）かを判定し、判定結果が設定した最大開口率より小さい場合はステップＳ２の処理に戻り、判定結果が設定した最大開口率以上の場合はステップＳ４の処理に進める。ステップＳ４でＣＰＵ１３は、レンズ絞り制御部１２に対し、レンズ部１のレンズ絞り機構の絞り値が図２の“MAX IRIS”で設定された最大開口率の所定範囲以内（例えば99.0±0.2％）に維持する信号を出力するよう制御する。すなわち、レンズ絞り制御部１２はＣＰＵ１３の制御に従い、レンズ部１のレンズ絞り機構の絞り値が設定された最大開口率の所定範囲以内に維持する信号ｃをアンプ部１１に、信号ｂを切替部１０に出力し、アンプ部１１は入力された信号ｃを増幅して切替部１０に信号ｄを出力し、切替部１０はＣＰＵ１３の指示に従い、アンプ部１１から入力された信号ｄを選択してレンズ部１の絞り制御部２に出力し、絞り制御部２は入力された信号ｅに従いレンズ部１のレンズ絞り機構を制御して、レンズ絞り機構の絞り値を最大開口率の所定範囲以内にする。ステップＳ５でＣＰＵ１３は、信号aが映像信号レベル設定値の所定範囲内（例えば550±20mV）になるまでＡＧＣ５を“AGC1”の設定値範囲（0〜10dB）で利得を制御する。この制御は、図３の被写体照度が“AGC制御範囲１”の場合である。ステップＳ６でＣＰＵ１３は、ＡＧＣ５の利得制御値が所定以下（例えば“AGC1”設定下限値の0dB以下）であればステップＳ７に進み、所定以下（例えば0dB以下）でなければステップＳ８に進める。ステップＳ７でＣＰＵ１３は、ＡＧＣ５の利得制御値を“AGC1”設定下限値の0dBに設定し、ステップＳ２の処理に戻る。ステップＳ８でＣＰＵ１３は、ＡＧＣ５の利得制御値が所定以上（例えば“AGC1”設定上限値の10dB以上）であればステップＳ９に進み、所定以上（例えば10dB以上）でなければステップＳ５の処理に戻る。ステップＳ９でＣＰＵ１３は、ＡＧＣ５の利得制御値を“AGC1”設定上限値の10dBに設定し、ステップＳ１０の処理に進める。ステップＳ１０でＣＰＵ１３は、信号aが映像信号レベル設定値の所定範囲内（例えば550±20mV）になるまで、ＥＭ−ＣＣＤ４の電子増倍の利得制御を行うための駆動部９に対し、“CCD GAIN1”の設定値範囲（0〜40dB）で利得を制御する。この制御は、図３の被写体照度が“CCD増倍制御範囲１”の場合である。ステップＳ１１でＣＰＵ１３は、ＥＭ−ＣＣＤ４の電子増倍の利得制御を行う駆動部９の利得制御値が所定以下（例えば“CCD GAIN1”設定下限値の0dB以下）であればステップＳ１２に進み、所定以下（例えば0dB以下）でなければステップＳ１３に進める。ステップＳ１２でＣＰＵ１３は、ＥＭ−ＣＣＤ４の電子増倍の利得制御を行う駆動部９の利得制御値を“CCD GAIN1”設定下限値の0dBに設定し、ステップＳ５の処理に戻る。ステップＳ１３でＣＰＵ１３は、ＥＭ−ＣＣＤ４の電子増倍の利得制御を行う駆動部９の利得制御値が所定以上（例えば“CCD GAIN1”設定上限値の40dB以上）であればステップＳ１４に進み、所定以上（例えば40dB以上）でなければステップＳ１０の処理に戻る。ステップＳ１４でＣＰＵ１３は、ＥＭ−ＣＣＤ４の電子増倍の利得制御を行う駆動部９の利得制御値を“CCD GAIN1”設定上限値の40dBに設定し、図５のステップＳ１５の処理に進める。ステップＳ１５でＣＰＵ１３は、信号aが映像信号レベル設定値の所定範囲内（例えば550±20mV）になるまでＡＧＣ５を“AGC2”の設定値範囲（10〜20dB）で利得を制御する。この制御は、図３の被写体照度が“AGC制御範囲２”の場合である。ステップＳ１６でＣＰＵ１３は、ＡＧＣ５の利得制御値が所定以下（例えば“AGC2”設定下限値の10dB以下）であればステップＳ１７に進み、所定以下（例えば10dB以下）でなければステップＳ８に進める。ステップＳ１７でＣＰＵ１３は、ＡＧＣ５の利得制御値を“AGC1”設定上限値の10dBに設定し、図４のステップＳ１０の処理に戻る。ステップＳ１８でＣＰＵ１３は、ＡＧＣ５の利得制御値が所定以上（例えば“AGC2”設定上限値の20dB以上）であればステップＳ１９に進み、所定以上（例えば20dB以上）でなければステップＳ１５の処理に戻る。ステップＳ１９でＣＰＵ１３は、ＡＧＣ５の利得制御値を“AGC2”設定上限値の20dBに設定し、ステップＳ２０の処理に進める。ステップＳ２０でＣＰＵ１３は、信号aが映像信号レベル設定値の所定範囲内（例えば550±20mV）になるまで、ＥＭ−ＣＣＤ４の電子増倍の利得制御を行うための駆動部９に対し、“CCD GAIN2”の設定値範囲（40〜66dB）で利得を制御する。この制御は、図３の被写体照度が“CCD増倍制御範囲２”の場合である。ステップＳ２１でＣＰＵ１３は、ＥＭ−ＣＣＤ４の電子増倍の利得制御を行う駆動部９の利得制御値が所定以下（例えば“CCD GAIN2”設定下限値の40dB以下）であればステップＳ２２に進み、所定以下（例えば40dB以下）でなければステップＳ２３に進める。ステップＳ２２でＣＰＵ１３は、ＥＭ−ＣＣＤ４の電子増倍の利得制御を行う駆動部９の利得制御値を“CCD GAIN1”設定上限値の40dBに設定し、ステップＳ１５の処理に戻る。ステップＳ２３でＣＰＵ１３は、ＥＭ−ＣＣＤ４の電子増倍の利得制御を行う駆動部９の利得制御値が所定以上（例えば“CCD GAIN2”設定上限値の66dB以上）であればステップＳ２４に進み、所定以上（例えば66dB以上）でなければステップＳ２０の処理に戻る。ステップＳ２４でＣＰＵ１３は、���Ｍ−ＣＣＤ４の電子増倍の利得制御を行う駆動部９の利得制御値を“CCD GAIN2”設定上限値の66dBに設定し、ステップＳ２５の処理に進める。ステップＳ２５でＣＰＵ１３は、信号aが映像信号レベル設定値の所定範囲内（例えば550±20mV）になるまでＡＧＣ５を“AGC3”の設定値範囲（20〜40dB）で利得を制御する。この制御は、図３の被写体照度が“AGC制御範囲３”の場合である。ステップＳ２６でＣＰＵ１３は、ＡＧＣ５の利得制御値が所定以下（例えば“AGC2”設定上限値の20dB以下）であればステップＳ２７に進み、所定以下（例えば20dB以下）でなければステップＳ２５に戻る。ステップＳ２７でＣＰＵ１３は、ＡＧＣ５の利得制御値を“AGC2”設定上限値の20dBに設定し、ステップＳ２０の処理に戻る。
【００２１】
次に、本発明の他の一実施例について図1を用いて説明する。
オペレータが遠隔操作により自動感度調整の設定を行いたい場合は、リモート端子１６に例えばインターネットを介してパソコンや操作器等からリモート制御信号１７を入力する。入力されたリモート制御信号１７はＣＰＵ１３に入力される。
【００２２】
上記の遠隔操作による自動感度調整の設定値は、ＣＰＵ１３が図２の表示画面の表示に反映させている。
また、図２の表示画面を表示するモニタ３０は、テレビジョンカメラに装着するビューファインダでも良い。なお、上記の一実施例では、映像信号に図２に示す文字信号を合成しているが、文字信号のみをモニタ３０に表示しても良い。
【００２３】
レンズ絞り制御、ＡＧＣ５利得制御、ＥＭ−ＣＣＤ４利得制御の自動感度調整による制御の切替えは、頻繁な切替え動作（ハンチング現象）防止のため、所定時間経過後に行っても良い。
【００２４】
上記の撮像部３の説明では、レンズ部１をＤＣレンズとＶＩＤＥＯレンズの両方を使用可能としたが、撮像部３をＤＣレンズまたはＶＩＤＥＯレンズ専用機としても良い。
上述で説明したように、本発明の絞り制御可能なレンズであるレンズ部１と電子増倍型固体撮像素子であるＥＭ−ＣＣＤ４を組み合わせたときの自動感度調整により、最適な画質優先の自動感度調整を行うことができる。
【００２５】
以上本発明について詳細に説明したが、本発明は、ここに記載されたテレビジョンカメラに限定されるものではなく、上記以外のテレビジョンカメラに広く適用することができることは言うまでもない。
【図面の簡単な説明】
【００２６】
【図１】本発明のテレビジョンカメラの一実施例の構成を示すブロック図。
【図２】本発明のテレビジョンカメラの一実施例の表示画面を示す図。
【図３】本発明のテレビジョンカメラの一実施例の感度制御を説明するための図。
【図４】本発明のテレビジョンカメラの一実施例の動作を説明するためのフローチャート。
【図５】図４の続きの動作を説明するためのフローチャート。
【符号の説明】
【００２７】
１：レンズ部、２：絞り制御部、３：撮像部、４：ＥＭ−ＣＣＤ、５：ＡＧＣ、６：映像処理部、７：ＥＮＣ、８：合成部、９：駆動部、１０：切替部、１１：アンプ部、１２：レンズ絞り制御部、１３：ＣＰＵ、１４：文字信号発生部、１５：設定ボタン、１６：リモート端子、１７：リモート制御信号、３０：モニタ、４０：カーソル、４１：選択バー、４２，４３：設定バー。
【図１】
0004612518.tif 000002
【図２】
0004612518.tif 000003
【図３】
0004612518.tif 000004
【図４】
0004612518.tif 000005
【図５】
0004612518.tif 000006